(57)【要約】【課題】着用する人の健康を、遠赤外線のはたらきによって促進することのできる靴を提供する。【解決手段】着用する人の健康を促進する靴であって、靴本体１の内部に設けられる中底２に、遠赤外線を放射する花崗岩を主体とした岩石類を１μｍ〜１０μｍ程度の微細に粉砕した微粒粉３ａを塗料３ｂに混合した混合物を塗布して、塗布層３を形成する。この塗布層３は、スクリーン印刷によって形成することができる。【選択図】      図１
2005161027.tif 000002
【特許請求の範囲】
【請求項１】
着用する人の健康を促進する履物であって、
履物本体の内部に設けられる中底に、遠赤外線を放射する花崗岩を主体とした岩石類を微細に粉砕した微粒粉を塗料に混合した混合物を塗布して、塗布層を形成してなることを特徴とする健康促進履物。
【請求項２】
着用する人の健康を促進する履物であって、
履物本体の全部又は一部に、遠赤外線を放射する花崗岩を主体とした岩石類を微細に粉砕した微粒粉を塗料に混合した混合物を塗布して、塗布層を形成してなることを特徴とする健康促進履物。
【請求項３】
前記塗布層が、スクリーン印刷によって形成されたものであることを特徴とする請求項１又は２に記載の健康促進履物。
【請求項４】
着用する人の健康を促進する履物であって、
履物本体の全部又は一部を、遠赤外線を放射する花崗岩を主体とした岩石類を微細に粉砕した微粒粉を配合した原材料で製造してなることを特徴とする健康促進履物。
【発明の詳細な説明】
【技術分野】
【０００１】
本発明は、血流倍増、痛みの緩和あるいは疲労回復などの遠赤外線効果によって、靴などの履物を着用する人の健康を促進することのできる健康促進履物に関するものである。
【背景技術】
【０００２】
日常生活に欠かせない履物である、例えば、靴には、従来から様々な工夫が施されてきた。
例えば、靴の中敷きに工夫を施し、優れたフィット感、耐水性および通気性を持たせるようにして、履き心地を良くしたものが知られている。
【発明の開示】
【発明が解決しようとする課題】
【０００３】
しかしながら、これまで靴の履き心地を良くするための手段は創案されているものの、靴の中底に加工を施し、靴を着用することによって、それを履いた人の健康を促進させるといった手段は考えられていない。
そこで、本発明の目的とするところは、着用する人の健康を促進することのできる履物を提供することにある。
【課題を解決するための手段】
【０００４】
上記の目的を達成するために、本発明の請求項１に記載の健康促進履物は、着用する人の健康を促進する履物であって、
履物本体（１）の内部に設けられる中底（２）に、遠赤外線を放射する花崗岩を主体とした岩石類を微細に粉砕した微粒粉（３ａ）を塗料（３ｂ）に混合した混合物を塗布して、塗布層（３）を形成してなることを特徴とする。
【０００５】
また、本発明の請求項２に記載の健康促進履物は、着用する人の健康を促進する履物であって、履物本体（１）の全部又は一部に、遠赤外線を放射する花崗岩を主体とした岩石類を微細に粉砕した微粒粉（３ａ）を塗料（３ｂ）に混合した混合物を塗布して、塗布層（３）を形成してなることを特徴とする。
【０００６】
さらに、請求項３に記載の健康促進履物は、請求項１又は２に記載の発明において、前記塗布層（３）が、スクリーン印刷によって形成されたものであることを特徴とする。
【０００７】
また、本発明の請求項４に記載の健康促進履物は、着用する人の健康を促進する履物であって、履物本体（１）の全部又は一部を、遠赤外線を放射する花崗岩を主体とした岩石類を微細に粉砕した微粒粉（３ａ）を配合した原材料で製造してなることを特徴とする。
【０００８】
なお、請求項１，請求項２及び請求項４において、微細とは厳密に限定するものではないが、１μｍ〜１０μｍ程度のものを意味する。
【０００９】
ここで、「花崗岩を主体とした岩石類」とは、花崗岩および当該花崗岩に含まれる化学成分（珪酸、アルミニウム、酸化マグネシウム、酸化鉄など）の酸化金属からできている石、砂利、砂などの窯土類をいう。また、岩石類を１μｍ〜１０μｍ程度、微細に粉砕するのは、塗料に混合し易くすると共に、中底に塗布し易くするためである。
【００１０】
なお、カッコ内の記号は、図面および後述する発明を実施するための最良の形態に記載された対応要素または対応事項を示す。
【発明の効果】
【００１１】
本発明の請求項１及び請求項２に記載の健康促進履物によれば、履物本体の全部又は、履物本体の内部に設けられる中底など、履物本体の一部に、遠赤外線を放射する花崗岩を主体とした岩石類を１μｍ〜１０μｍ程度の微細に粉砕した微粒粉を塗料に混合した混合物を塗布して、塗布層を形成しているので、遠赤外線のはたらきによって、直接、当該履物を着用する人の健康を促進することができる。
また、中敷を特に使用する必要もない。
【００１２】
すなわち、花崗岩は大気中に太陽光線を反射させるオゾン層が未だ形成されていなかった太古の時代に溶岩として存在し、太陽光線の中の４〜１４ミクロンの水や、生体に好ましい育生光線を充分に吸収しており、その育生光線である電磁波の遠赤外線を現代に至ってもなお放射し続けている。
【００１３】
そして、この遠赤外線は、血流倍増、痛み緩和、疲労回復などの効果を永続的に発揮する。従って、この健康促進靴を着用すると、その人の身体に遠赤外線が作用して血流が倍増される等の効果が得られ、健康が促進される。
【００１４】
また、請求項３に記載の発明によれば、請求項１及び請求項２に記載の発明の作用効果に加えて、塗布層が、スクリーン印刷によって形成されたものであるので、その全体が中底の形状に対応して均一に形成される。
従って、塗布層を形成したという違和感を感じさせず、履き心地にも優れる。
【００１５】
さらに、請求項４に記載の発明によれば、履物本体の全部又は一部を、遠赤外線を放射する花崗岩を主体とした岩石類を微細に粉砕した微粒粉を配合した原材料で製造してなるので、遠赤外線のはたらきによって、直接、当該履物を着用する人の健康を促進することができる。
【発明を実施するための最良の形態】
【００１６】
図１乃至図３を参照して、本発明の実施形態に係る健康促進履物について説明する。図１は健康促進履物を示す要部断面側面図である。図２は図１のＡ部を示す拡大図、図３は図１のＢ−Ｂ線断面図である。
【００１７】
本発明の実施形態に係る健康促進履物は、それを着用する人の健康を促進する靴であり、靴本体１の内部に設けられる中底２の上面に、塗布層３を形成して構成される。
靴本体１の裏面には、ゴム底４が設けられる。塗布層３は、遠赤外線を放射する花崗岩を主体とした岩石類を１μｍ〜１０μｍ程度の微細に粉砕して微粒粉３ａを形成し、その微粉粒を塗料（接着塗料）３ｂに混合して混合物を作り、その混合物を塗布して形成される。なお、本実施形態における塗布層３は、スクリーン印刷によって形成されている。
【００１８】
本実施形態に係る健康促進履物は、中底２上面の塗布層３から放射される遠赤外線が、血流倍増、痛みの緩和、および疲労回復などの効果を発揮するので、当該健康促進靴を着用した人の身体の血流が倍増され、あるいは神経痛などの痛みが緩和され、さらには疲労が迅速に回復する等の効果が得られ、健康が促進される。遠赤外線は、中底２から直接放射されるので、中敷を特に使用する必要もない。
【００１９】
また、塗布層３はスクリーン印刷によって形成されているので、その全体が中底２の形状に対応して均一に形成され、塗布層３を形成したという違和感を感じさせない。従って、履き心地にも優れる。
【００２０】
本実施形態に係る健康促進履物は、靴の中底２といったように、履物本体１の一部に、遠赤外線を放射する花崗岩を主体とした岩石類を微細に粉砕した微粒粉３ａを塗料３ｂに混合した混合物を塗布して、塗布層３を形成したものであるが、履物本体１の全部に、遠赤外線を放射する花崗岩を主体とした岩石類を微細に粉砕した微粒粉３ａを塗料３ｂに混合した混合物を塗布して、塗布層３を形成し、遠赤外線による効果をさらに増大させるようにしてもよい。また、履物本体１として、靴の例を示したが、下駄，スリッパ，サンダル，草履等，履物であれば何でもよい。また履物本体１の一部として、靴の中底２を例示したが、これに限らず、表底，本革底，裏材，先芯，踵芯，靴紐，マジックテープ，ハトメ，鼻緒など、いずれの部分でもよい。
【００２１】
さらに本実施形態に係る健康促進履物では、履物本体１の一部に、遠赤外線を放射する花崗岩を主体とした岩石類を微細に粉砕した微粒粉３ａを塗料３ｂに混合した混合物を塗布して、塗布層３を形成したものであるが、履物本体の全部又は一部を構成する材料そのものを直接、遠赤外線を放射する花崗岩を主体とした岩石類を微細に粉砕した微粒粉を配合した原材料で製造するようにしてもよい。これによっても、遠赤外線のはたらきによって、直接、当該履物を着用する人の健康を促進することができる。また、特に履物本体の全部又は一部を製造するときに、遠赤外線を放射する物質を有する混合物を直接配合するので製造が容易である。
【図面の簡単な説明】
【００２２】
【図１】本発明の実施形態に係る健康促進靴を示す要部断面側面図である。
【図２】図１のＡ部拡大図である。
【図３】図１のＢ−Ｂ線断面図である。
【符号の説明】
【００２３】
１      靴本体
２      中底
３      塗布層
３ａ    微粒粉
３ｂ    塗料
４      ゴム底
【図１】
2005161027.tif 000003
【図２】
2005161027.tif 000004
【図３】
2005161027.tif 000005